(57)【要約】      （修正有）【課題】屋内緑化に最適化された屋内緑化システムを提供する。【解決手段】屋内緑化システム１は，植物を栽培するための容器Ａと，容器Ａを配置するための配置ユニットＢと，を備える。配置ユニットＢは，直方体状の枠であって，その上面が格子状に形成され，容器Ａが固定配置される配置枠３と，配置枠３の内部に設置される多孔質部材４と，養液１０が貯留される養液タンク２と，養液タンク２の内部の養液１０を植物に与えるための養液ライン８と，を備える。【選択図】図１
2018198550.tif 000002
【特許請求の範囲】
【請求項１】
植物を栽培するための容器と，
前記容器を配置するための配置ユニットと，を備える屋内緑化システムであって，
前記配置ユニットは，
直方体状の枠であって，その上面が格子状に形成され，前記容器が固定配置される配置枠と，
前記配置枠の内部に設置される多孔質部材と，
養液が貯留される養液タンクと，
前記養液タンクの内部の前記養液を前記植物に与えるための養液ラインと，
を備えることを特徴とする屋内緑化システム。
【請求項２】
前記配置ユニットおよび容器の周囲を覆う箱状部材をさらに備えることを特徴とする請求項１に記載の屋内緑化システム。
【請求項３】
前記容器が，鉢状部材と配置用スペーサーとからなり，
前記鉢状部材は，
内部空間と側面スリット孔と底面スリット孔とを有するとともに，底面に嵌合凹部を有し，
前記配置用スペーサーは，平面状部材であって，
上面に前記嵌合凹部に嵌合される嵌合凸部を有するとともに，下面に固定用ツメを有することを特徴とする請求項１又は２に記載の屋内緑化システム。
【請求項４】
前記多孔質部材が，スポンジ部材であることを特徴とする請求項１から３のいずれか１項に記載の屋内緑化システム。
【請求項５】
前記養液タンクが，養液残量を確認するためののぞき窓を備えることを特徴とする請求項１から４のいずれか１項に記載の屋内緑化システム。
【請求項６】
前記容器における植物の乾燥状態をモニターするための湿度センサーをさらに備えることを特徴とする請求項１から５のいずれか１項に記載の屋内緑化システム。
【請求項７】
前記養液ラインが，給水ポンプを備えることを特徴とする請求項１から６のいずれか１項に記載の屋内緑化システム。
【発明の詳細な説明】
【技術分野】
【０００１】
本発明は，屋内緑化に最適化された屋内緑化システムに関する。さらに詳しくいうと本発明は，植物等をユニットとして簡単に交換可能であり，また，衛生的かつ持続可能性を考慮した屋内緑化システムに関する。
【背景技術】
【０００２】
屋内緑化は，屋内を様々な植物等で装飾することにより，構造物内に自然な空間を作り出すことを可能とする。これにより，屋内緑化は，緑化された空間に関わる人々の心を癒し，ストレス軽減ないしはリラックスした状態に導くことを可能とするものであり，病院やオフィスなど，様々な場所で屋内緑化が行われ広がりを見せている。
【０００３】
このように屋内緑化は広がりを見せているものの，緑化することが手段ではなく，緑化そのものが目的化している面も少なからずあるのが現状である。
すなわち，従来の屋内緑化技術は，基本的には，屋外における緑化技術の流用に過ぎず，屋内に最適化されたものではないのが現状である（例えば，特許文献１）。屋外において植えられた植物等は，その植物個体を可能な限り長期にわたって生育・維持することを基本概念とする。これより，従来の屋内緑化技術は，この屋外における基本概念をそのまま屋内に持ち込んだ形となっており，そのため，屋外において使用される植栽用土，病害虫防除方法，空間デザインなどをそのまま屋内緑化に用いた植物等に適用したものとなっている。結果として，屋内と屋外における環境ないし条件の違いや制限などが十分に考慮された形となっておらず，植物の生理障害，病害虫発生などが生じ，経年劣化や状態の悪化などによって緑化に用いられる植物等が撤去されるケースが多くみられてきた。
【先行技術文献】
【特許文献】
【０００４】
【特許文献１】特開平７−１４７８５３号公報
【発明の概要】
【発明が解決しようとする課題】
【０００５】
例えば特許文献１には，樹木等植設方式の空間緑化システム等に関する技術が開示されているが，屋内外で適用できるものとされており，基本的には，前述の屋外における基本概念を持ち込んだものに過ぎない。
【０００６】
上記事情を背景として，本発明では，屋内緑化に最適化された屋内緑化システムの開発を課題とする。
【課題を解決するための手段】
【０００７】
発明者は，鋭意研究の結果，植物等を所定の容器にて栽培してユニット化し，これを簡単に入れ替えることが可能な構造物と組み合わせることに想到し，発明を完成させたものである。
【０００８】
本発明は，以下の構成からなる。
本発明の第一の構成は，植物を栽培するための容器と，
前記容器を配置するための配置ユニットと，を備える屋内緑化システムであって，
前記配置ユニットは，
直方体状の枠であって，その上面が格子状に形成され，前記容器が固定配置される配置枠と，
前記配置枠の内部に設置される多孔質部材と，
養液が貯留される養液タンクと，
前記養液タンクの内部の前記養液を前記植物に与えるための養液ラインと，
を備えることを特徴とする屋内緑化システムである。
【０００９】
本発明の第二の構成は，前記配置ユニットおよび容器の周囲を覆う箱状部材をさらに備えることを特徴とする第一の構成に記載の屋内緑化システムである。
本発明の第三の構成は，前記容器が，鉢状部材と配置用スペーサーとからなり，
前記鉢状部材は，
内部空間と側面スリット孔と底面スリット孔とを有するとともに，底面に嵌合凹部を有し，
前記配置用スペーサーは，平面状部材であって，
上面に前記嵌合凹部に嵌合される嵌合凸部を有するとともに，下面に固定用ツメを有することを特徴とする第一又は第二の構成に記載の屋内緑化システムである。
【００１０】
本発明の第四の構成は，前記多孔質部材が，スポンジ部材であることを特徴とする第一から第三の構成に記載の屋内緑化システムである。
本発明の第五の構成は，前記養液タンクが，養液残量を確認するためののぞき窓を備えることを特徴とする第一から第四の構成に記載の屋内緑化システムである。
本発明の第六の構成は，前記容器における植物の乾燥状態をモニターするための湿度センサーをさらに備えることを特徴とする第一から第五の構成に記載の屋内緑化システムである。
本発明の第七の構成は，前記養液ラインが，給水ポンプを備えることを特徴とする第一から第六の構成に記載の屋内緑化システムである。
【発明の効果】
【００１１】
本発明により，屋内緑化に最適化された屋内緑化システムの提供が可能となった。
すなわち，本発明の屋内緑化システムは，緑化装飾手法として，規格化されたユニット（容器）を用い，これを配置ユニットに配置することにより，装飾の自由度と簡易性を備えることを可能とするものである。また，ユニットの交換は，容器に植えられた植物体の交換だけではなく，配置換えを行うことも可能であり，定期的な交換（空間の模様替え）により，リフレッシュ効果を生み出すものである。
【図面の簡単な説明】
【００１２】
【図１】本発明の実施の形態１における屋内緑化システムの全体構成を示す正面図
【図２】本発明の実施の形態１における屋内緑化システムの構成部材である，配置用スペーサーの鉢状部材への組付け方法を示す分解斜視図
【図３】（ａ）は前記配置用スペーサーを前記鉢状部材に組み付けた状態を示す組立断面図，（ｂ）は前記鉢状部材を示す底面図
【図４】本発明の実施の形態１における屋内緑化システムの構成部材である，多孔質部材の配置枠の内部への設置方法を示す分解斜視図
【図５】本発明の実施の形態１における屋内緑化システムの構成部材である，多孔質部材の配置枠の内部への設置方法を示す分解斜視図
【図６】（ａ）は前記配置用スペーサーを示す底面図，（ｂ）は前記配置枠を示す底面図
【図７】前記配置用スペーサーを前記配置枠に組み付けた状態を示す組立底面図
【図８】本発明の実施の形態１における屋内緑化システムの構成部材である外鉢への前記鉢状部材の組付け方法を示す分解斜視図
【図９】前記鉢状部材を前記外鉢に組み付けた状態を示す組立斜視図
【図１０】本発明の実施の形態２における屋内緑化システムの全体構成を示す正面図
【発明を実施するための形態】
【００１３】
以下，好適な実施の形態を用いて本発明をさらに具体的に説明する。ただし，下記の実施の形態は本発明を具現化した例に過ぎず，本発明はこれに限定されるものではない。
【００１４】
＜＜Ｉ．発明の概要＞＞
本発明の屋内緑化システムは，容器と配置ユニットを必須の構成要素として備える。
すなわち，本発明の屋内緑化システムは，緑化装飾手法として，規格化されたユニット（容器）を用い，これを配置ユニットに配置することにより，装飾の自由度と簡易性を備えることを可能とするものである。また，ユニットの交換は，容器に植えられた植物体の交換だけではなく，配置換えを行うことも可能であり，定期的な交換（空間の模様替え）により，リフレッシュ効果を生み出すものである。
【００１５】
容器は，植物を栽培するための容器であり，これを一つ又は複数，配置ユニットに配置することにより，緑化を行う植物の入れ替えを容易にするものである。
容器は，植物の栽培ならびに配置ユニットへの配置が可能である限り，特に限定されるものではなく，種々の構造ないし形状のものを採用することができる。
容器としては，典型的には，汎用されている，底面（下面）から上面に向かってテーパー状に形成される有底円筒状ないし有底多角筒状のものを用いればよい。また，側部ないし底部に，水はけを行うための排水孔を有していてもよい。
【００１６】
なお，本発明において，「配置」とは，容器を配置ユニットに可逆的かつ安定的に固定することとして定義されるものである。すなわち，容器は，可逆的かつ安定的に配置ユニットに固定することが可能である限り，静置，嵌合，吸着その他，任意の手段を用いて配置を行うことができる。
また，容器の配置は，一つの手段を用いて行ってもよいし，複数の手段を組み合わせて用いて行ってもよい。
【００１７】
容器は，鉢状部材と配置用スペーサーとからなることが好ましい。この好ましい構成によれば，容器としての形状の多様性ないし配置方法の多様化を図ることができ，本発明の屋内緑化システムの利便性を向上させることができる。また，かかる好ましい構成によれば，鉢状部材を用いて，後述する外鉢と合わせて独立して植物を栽培することが可能となり，無菌的ないし無農薬で植物栽培を行い，屋内に用いるための安全な植物とすることがより容易となる。
【００１８】
鉢状部材は，配置用スペーサーとの一体化が可能であり，かつ，植物の栽培が可能である限り，特に限定されるものではなく，種々の構造ないし形状のものを採用することができる。
すなわち，鉢状部材は，汎用されている，底面（下面）から上面に向かってテーパー状に形成される有底円筒状ないし有底多角筒状のものを用いればよい。また，側部ないし底部に，水はけを行うための排水孔を有していてもよい。また，鉢状部材は，これらに加えて，配置用スペーサーと一体化するための手段を備える必要がある。
【００１９】
鉢状部材は，典型的には，図１，図２，図３（ａ）に示すような，底面（下面）から上面に向かってテーパー状に形成される有底円筒状のものとすればよい。また，側部ならびに底部に水はけを行うための排水孔（側面スリット孔，底面スリット孔）を有するとともに，配置用スペーサーとの一体化の手段として嵌合凹部を底部に有していればよい。
かかる構成とすることにより，図７ならびに図８に示すように，鉢状部材を，外鉢と合わせて独立して植物を栽培することが可能となり，無菌的ないし無農薬で植物栽培を行い，屋内に用いるための安全な植物とすることがより容易となる。
【００２０】
配置用スペーサーは，鉢状部材との一体化，ならびに，後述する配置枠との可逆的かつ安定的な固定配置が可能である限り，特に限定されるものではなく，種々の構造ないし形状のものを採用することができる。
すなわち，配置用スペーサーは，鉢状部材の形状を考慮して一体化するための手段ないし構造を工夫する必要があり，また，配置枠の形状を考慮して配置するための手段ないし構造を工夫する必要がある。
配置用スペーサーは，典型的には，図２，図３（ａ）に示すような形状とすればよい。すなわち，配置用スペーサーは，鉢状部材の底面形状を考慮した，平面状の円部材（円盤状部材）であって，上面に，鉢状部材の嵌合凹部に嵌合される嵌合凸部を有するとともに，下面に，配置枠の枠に嵌合される固定用ツメを有する構造とすればよい。
また，別の態様として，脚を備えた部材とすることができる。かかる場合，鉢状部材の開口部に段差を設け，その段差に嵌る環状部材とこれに連結される複数の脚状部材からなる構成とすればよい。
【００２１】
配置ユニットは，容器を可逆的かつ安定的に配置するとともに，植物に水分等を補給するためのベースとしての構造を有するものである。
このため，配置ユニットは，配置枠，多孔質部材，養液タンク，養液ライン，これらを必須の構成要素として備える。
【００２２】
配置ユニットは，湿度センサーを備えることが好ましい。この好ましい構成によれば，自動的に植物の乾燥具合をモニターでき，乾燥具合に応じて水分の自動供給を行うことが可能となり，本発明の屋内緑化システムの利便性を向上させることができる。
湿度センサーとしては，植物の乾燥具合をモニターできる限り，特に限定されるものではなく，種々の湿度センサーを用いることができる。湿度センサーは，配置されるすべての植物に設けることができる。また，湿度センサーは，最も乾燥が予想される，もしくは最も水分を必要とする植物など一つの植物のみに設けてもよい。
湿度センサーは，当該湿度センサーによるモニター結果が，後述する給水ポンプに直接もしくは間接的に送信され，自動的に給水を行うことを可能とするものである。
配置ユニットは，その他の管理センサーを備えることもでき，例えば，養液の懸濁度合いを測るセンサーや栄養成分含有量をイオン強度で図るセンサーなどである。
【００２３】
配置枠は，多孔質部材が内部に設置されるとともに，容器を配置する役割を果たす。配置枠は，かかる役割を果たす限り，特に限定されるものではなく，種々の構造ないし形状のものを採用することができる。
配置枠は，典型的には，図４，図５（ｂ），図６に示すように，直方体状の枠であって，少なくともその上面が格子状に形成されていればよい。なお，当然のことながら，上下・左右を気にせずに用いることを目的として，上下いずれの面をも格子状としてもよい。
また，容器の配置枠への配置については，図６に示すように，配置用スペーサーの固定用ツメを格子枠体に嵌合させて固定してもよく，もしくは，容器そのものを四角筒状に形成し，格子要素の内部に嵌合させるような配置方法を採ってもよい。
【００２４】
多孔質部材は，配置枠の内部に設置されるとともに，容器から漏れ出してきた有形粒子を含む水をろ過する役割を果たす。多孔質部材は，かかる役割を果たす限り，特に限定されるものではなく，種々の形状ないし構成のものを用いることができる。
多孔質部材は，スポンジ部材であることが好ましい。この好ましい構成によれば，部材そのものを柔軟性のある部材とすることができ，配置枠の内部に設置しやすくなるなど，取扱性を向上させることができる。
多孔質部材は，典型的には，一つの配置枠に一つ設置すればよいが，これを複数に分けて設置してもよい。
多孔質部材は，その他の素材を単独もしくは複数組み合わせて用いることができ，このような素材として繊維素材などが挙げられる。
【００２５】
養液タンクは，植物に供給するための養液を貯留する役割を果たす。養液タンクは，かかる役割を果たす限り，特に限定されるものではなく，種々の形状ないし構成のものを用いることができる。また，養液としては，水ないし栄養成分を含んだ水など，植物に応じた種々の液体を用いることができる。
養液タンクは，典型的には，図１ないし図９に示すように，配置ユニットの最低部に設ければよい。
養液タンクは，のぞき窓を備えることが好ましい。この好ましい構成によれば，養液残量を確認することができるので，容易に養液補充のタイミングを認識することが可能となる。
【００２６】
養液ラインは，養液タンクの内部の養液を植物に与える役割を果たす。養液ラインは，かかる役割を果たす限り，特に限定されるものではなく，種々の素材ないし形状，構成のものを用いることができる。
養液ラインは，典型的には，図１，図９に示すように，内部が空洞のビニールチューブを用いればよく，途中で養液を供給するための枝分かれや孔を設けるなどの構成とすればよい。
【００２７】
養液ラインは，給水ポンプを備えることが好ましい。この好ましい構成によれば，養液ラインからの養液の自動供給が可能となり，本発明の屋内緑化システムの利便性を向上させることができる。
給水ポンプによる自動供給については，前述の湿度センサーの測定結果に応じた養液供給や，所定の時間ごとの自動供給など，種々の方法で自動供給を行うことができる。
【００２８】
これら容器と配置ユニットについては，これらの周囲を覆う箱状部材を備えることが好ましい。この好ましい構成によれば，容器ならびに配置ユニットの外観を覆い，屋内緑化システムとしての見た目を向上させることができる。加えて，箱状部材を持ち上げるなどして移動を容易にすることが可能となり，本発明の屋内緑化システムの利便性を向上させることができる。
箱状部材は，容器ならびに配置ユニットの形状を考慮して設計すればよい。
また，箱状部材は，化学樹脂の多重層の素材を用いることが好ましく，これにより，漏水を可能な限り防ぐとともに，耐久性に優れた部材とすることができる。
【００２９】
なお，本発明においては，任意の場所に太陽光パネルや蓄電池などの電源を備えることができ，これにより，外部からの電源供給なしに，湿度センサーや給水ポンプ等を駆動させることが可能となる。
【００３０】
＜＜II．実施の形態＞＞
＜実施の形態１＞
まず，本発明の実施の形態１における屋内緑化システムの構成について，図１から図８を参照しながら説明する。
【００３１】
図１は，本発明の実施の形態１における屋内緑化システムの全体構成を示す正面図，図２は，当該屋内緑化システムの構成部材である，配置用スペーサーの鉢状部材への組付け方法を示す分解斜視図，図３（ａ）は，前記配置用スペーサーを前記鉢状部材に組み付けた状態を示す組立断面図，図３（ｂ）は，前記鉢状部材を示す底面図，図４ならびに図５は，当該屋内緑化システムの構成部材である，多孔質部材の配置枠の内部への設置方法を示す分解斜視図，図６（ａ）は，前記配置用スペーサーを示す底面図，図６（ｂ）は，前記配置枠を示す底面図，図７は，前記配置用スペーサーを前記配置枠に組み付けた状態を示す組立底面図，図８は，当該屋内緑化システムの構成部材である外鉢への前記鉢状部材の組付け方法を示す分解斜視図，図９は，前記鉢状部材を前記外鉢に組み付けた状態を示す組立斜視図である。
【００３２】
図１に示すように，本実施の形態の屋内緑化システム１は，植物を栽培するための容器Ａと，容器Ａを配置するための配置ユニットＢと，を備えている。
【００３３】
図１から図３に示すように，容器Ａは，鉢状部材６と配置用スペーサー５とからなっている。かかる構成によれば，容器としての形状の多様性ないし配置方法の多様化を図ることができ，本実施の形態の屋内緑化システム１の利便性を向上させることができる。
鉢状部材６は，底面（下面）から上面に向かってテーパー状に形成される有底円筒状のものとなっている。また，鉢状部材６は，側部ならびに底部に水はけを行うための排水孔（側面スリット孔６ａ，底面スリット孔６ｂ）を有するとともに，配置用スペーサー５との一体化の手段として嵌合凹部６ｄを底部に有している。より具体的には，鉢状部材６の底面は，当該底面の中央に形成された大径の第１凹部６ｃと，当該第１凹部６ｃの中央に形成された小径の第２凹部（嵌合凹部６ｄ）と，からなる２段構造になっている。なお，側面スリット孔６ａと底面スリット孔６ｂのスリット幅は，無機用土の大きさよりも細くなっている。
かかる構成とすることにより，図８ならびに図９に示すように，鉢状部材（内鉢）６を，外鉢７と合わせて独立して植物を栽培することが可能となり，無菌的ないし無農薬で植物栽培を行い，屋内に用いるための安全な植物とすることがより容易となる。なお，外鉢７の周面には，縦方向にスリット状の通気孔兼排水孔７ａ，７ｂが形成されている。ここで，外鉢７は，鉢状部材６よりも大径に形成されており，鉢状部材６を外鉢７に組み付けた状態において，鉢状部材６と外鉢７との間に隙間が作られるようにされている。そして，これにより，鉢状部材（内鉢）６と外鉢７を合わせて独立して植物を栽培する際の，通気と排水を良くすることができる。
【００３４】
図１から図３に示すように，配置用スペーサー５は，円盤状のスペーサー本体５ａと，当該スペーサー本体５ａの上面中央に立設され，鉢状部材６の嵌合凹部６ｄに嵌合される嵌合凸部５ｂと，を備えている。そして，図２，図３（ａ）に示すように，鉢状部材６の底面に配置用スペーサー５のスペーサー本体５ａを宛がい（図２の矢印Ｃを参照），嵌合凸部５ｂを嵌合凹部６ｄに嵌合させることにより，鉢状部材６と配置用スペーサー５を一体化して，容器Ａを得ることができるようにされている。
【００３５】
図１，および，図４から図７に示すように，配置ユニットＢは，植物に供給するための養液１０が貯留される，上端が開口した直方体状の養液タンク２と，養液タンク２の上端に載置され，内部に多孔質部材４が設置される配置枠３と，養液タンク２の内部の養液１０を植物に与えるための養液ライン８と，を備えている。
配置ユニットＢは，湿度センサー（不図示）をさらに備えている。かかる構成によれば，自動的に植物の乾燥具合をモニターでき，乾燥具合に応じて水分の自動供給を行うことが可能となり，本実施の形態の屋内緑化システム１の利便性を向上させることができる。
養液タンク２は，のぞき窓２ａを備えている。かかる構成によれば，養液１０の残量を確認することができるので，容易に養液１０を補充するタイミングを認識することが可能となる。
多孔質部材４は，スポンジ部材であり，容器Ａから漏れ出してきた有形粒子を含む水をろ過する役割を果たす。
養液ライン８としては，内部が空洞のビニールチューブ（灌水チューブ）が用いられている。また，養液ライン８は，給水ポンプ９を備えている。かかる構成によれば，養液ライン８からの養液１０の自動供給が可能となり，本実施の形態の屋内緑化システム１の利便性を向上させることができる。給水ポンプ９による自動供給は，前述の湿度センサーの測定結果に応じた養液供給によって行われる。
【００３６】
図４から図７に示すように，配置枠３は，直方体状の枠であって，１２本の外郭枠体３ａと，上下面に格子状に配置される格子枠体３ｂと，を備えている。ここで，配置枠３の上下面は正方形になっており，各格子要素も正方形になっている。より具体的には，配置枠３の上下面は，９つの正方形状の格子要素からなっている。また，配置枠３の４つの側面は，同じ大きさの矩形枠体からなっている。配置枠３をかかる構成としたことにより，上下・左右を気にせずに用いることができる。また，多孔質部材４を，配置枠３の４つの側面のいずれからでも挿入することが可能となる（図４の矢印Ｄを参照）。また，上記のように，多孔質部材４として柔軟性のあるスポンジ部材を用いることにより，配置枠３の内部に設置しやすくなるなど，取扱性を向上させることができる。  また，別の態様として，配置枠３’ならびに多孔質部材４’の構成が挙げられる。かかる構成は，立体格子状の配置枠３’に，直方体状の多孔質部材４’が，それぞれの格子にはまる形となっている。かかる構成は，側面補強枠体３ｃ’ならびに内部補強枠体３ｄ’を備えることにより，配置枠の強度を向上させることが可能となり，屋内緑化システムの頑健性を向上させることができる。
図２，図３，図６（ａ）に示すように，配置用スペーサー５のスペーサー本体５ａは，その下面に固定用ツメ５ｃを有している。ここで，固定用ツメ５ｃは，配置枠３の上面中央の格子要素の四隅に対応させて，四か所に設けられており，各固定用ツメ５ｃは，格子枠体３ｂを挟持嵌合する一対の挟持片からなっている。そして，図７に示すように，各固定用ツメ５ｃを，配置枠３の上面中央の格子要素の四隅に位置する格子枠体３ｂに挟持嵌合させることにより，容器Ａを配置枠３に固定配置することができる。
すなわち，配置枠３と配置用スペーサー５を，以上のような構成とすることにより，容器Ａを配置ユニットＢに可逆的かつ安定的に配置することが可能となる。その結果，本実施の形態の屋内緑化システム１を用いれば，緑化を行う植物の入れ替えを容易に行うことが可能となる。
【００３７】
以上説明した本実施の形態の屋内緑化システム１により，屋内緑化に最適化された屋内緑化システムの提供が可能となる。
すなわち，本実施の形態の屋内緑化システム１は，緑化装飾手法として，規格化されたユニット（容器Ａ）を用い，これを配置ユニットＢに配置することにより，装飾の自由度と簡易性を備えることを可能とするものである。また，ユニットの交換は，容器Ａに植えられた植物体の交換だけではなく，配置換えを行うことも可能であり，定期的な交換（空間の模様替え）により，リフレッシュ効果を生み出すものである。
【００３８】
＜実施の形態２＞
次に，本発明の実施の形態２における屋内緑化システムの構成について，図１０を参照しながら説明する。
【００３９】
図１０は，本発明の実施の形態２における屋内緑化システムの全体構成を示す正面図である。
【００４０】
図１０に示すように，本実施の形態の屋内緑化システム１１は，植物を栽培するための複数種類の容器Ａ，Ａ’と，これら複数種類の容器Ａ，Ａ’を配置するための配置ユニットＢ’と，を備えている。
【００４１】
容器Ａは，上記実施の形態１の屋内緑化システム１の場合と同様の構成となっている。一方，容器Ａ’は，鉢状部材６’の高さが低くなっており，その分，配置用スペーサー５’のスペーサー本体５’ａの厚みが厚くなっている。
【００４２】
配置ユニットＢ’は，植物に供給するための養液１０’が貯留される，上端が開口した横長直方体状の養液タンク２’と，養液タンク２’の上端に載置され，内部に多孔質部材４’が設置される配置枠３’と，養液タンク２’の内部の養液１０’を植物に与えるための養液ライン８’と，を備えている。
配置ユニットＢ’は，湿度センサー（不図示）をさらに備えている。かかる構成によれば，自動的に植物の乾燥具合をモニターでき，乾燥具合に応じて水分の自動供給を行うことが可能となり，本実施の形態の屋内緑化システム１１の利便性を向上させることができる。
養液タンク２’は，のぞき窓２’ａを備えている。かかる構成によれば，養液１０’の残量を確認することができるので，容易に養液１０’を補充するタイミングを認識することが可能となる。
多孔質部材４’は，スポンジ部材であり，容器Ａ，Ａ’から漏れ出してきた有形粒子を含む水をろ過する役割を果たす。
養液ライン８’としては，内部が空洞のビニールチューブ（灌水チューブ）が用いられている。また，養液ライン８’は，給水ポンプ９’を備えている。かかる構成によれば，養液ライン８’からの養液１０’の自動供給が可能となり，本実施の形態の屋内緑化システム１１の利便性を向上させることができる。給水ポンプ９’による自動供給は，前述の湿度センサーの測定結果に応じた養液供給によって行われる。なお，養液ライン８’は，各容器Ａ，Ａ’の位置で枝分かれしており，各容器Ａ，Ａ’に植えられた植物に同時に養液１０’の供給を行うことができるようにされている。
【００４３】
配置枠３’は，横長直方体状の枠であって，上記実施の形態１の屋内緑化システム１の場合の配置枠３を横方向に複数連結した構成となっている。
配置用スペーサー５，５’のスペーサー本体５ａ，５’ａは，その下面にそれぞれ固定用ツメを有しており，上記実施の形態１の場合と同様にして容器Ａ，Ａ’を配置ユニットＢ’に可逆的かつ安定的に固定配置できるようにされている。
【符号の説明】
【００４４】
１，１１  屋内緑化システム
Ａ，Ａ’  容器
Ｂ，Ｂ’  配置ユニット
２，２’  養液タンク
２ａ，２’ａ  のぞき窓
３，３’  配置枠
３ａ  外郭枠体
３ｂ  格子枠体
４，４’  多孔質部材
５，５’  配置用スペーサー
５ａ，５’ａ  スペーサー本体
５ｂ  嵌合凸部
５ｃ  固定用ツメ
６，６’  鉢状部材（内鉢）
６ａ  側面スリット孔
６ｂ  底面スリット孔
６ｃ  第１凹部
６ｄ  第２凹部（嵌合凹部）
８，８’  養液ライン
９，９’  給水ポンプ
１０，１０’  養液
【図１】
2018198550.tif 000003
【図２】
2018198550.tif 000004
【図３】
2018198550.tif 000005
【図４】
2018198550.tif 000006
【図５】
2018198550.tif 000007
【図６】
2018198550.tif 000008
【図７】
2018198550.tif 000009
【図８】
2018198550.tif 000010
【図９】
2018198550.tif 000011
【図１０】
2018198550.tif 000012